(57)【要約】【課題】メタ情報を用いてトランスポートストリームを高速再生する再生装置を提供する。【解決手段】  記録媒体に記録されているトランスポートストリームを高速再生する再生装置であって、独立して復号可能なピクチャを含むPESパケットを構成するTSパケットの先頭アドレス及び当該ピクチャに関するサイズ情報の組みである一以上のメタ情報を前記記録媒体から取得するメタ情報取得手段と、前記一以上のメタ情報の中から、次に再生すべき、独立して復号可能なピクチャを含むPESパケットを示すメタ情報を選択し、選択したメタ情報における前記先頭アドレスが示すTSパケットから前記サイズ情報が示す個数分のTSパケットを取得するTSパケット取得手段と、取得された各TSパケットの中から前記独立して復号可能なピクチャを取り出し復号化する復号化手段と、復号化された、前記独立して復号可能なピクチャを出力する出力手段とを備える。【選択図】図２
2011244476.tif 000002
【特許請求の範囲】
【請求項１】
記録媒体に記録されているトランスポートストリームを高速再生する再生装置であって、
独立して復号可能なピクチャを含むPESパケットを構成するTSパケットの先頭アドレス及び当該ピクチャに関するサイズ情報の組みである一以上のメタ情報を前記記録媒体から取得するメタ情報取得手段と、
前記一以上のメタ情報の中から、次に再生すべき、独立して復号可能なピクチャを含むPESパケットを示すメタ情報を選択し、選択したメタ情報における前記先頭アドレスが示すTSパケットから前記サイズ情報が示す個数分のTSパケットを取得するTSパケット取得手段と、
前記TSパケット取得手段により取得された各TSパケットの中から前記独立して復号可能なピクチャを取り出し復号化する復号化手段と、
前記復号化手段により復号化された、前記独立して復号可能なピクチャを出力する出力手段と
を備えること特徴とする再生装置。
【請求項２】
記録媒体に記録されているトランスポートストリームを高速再生する再生装置に用いられる再生方法であって、
独立して復号可能なピクチャを含むPESパケットを構成するTSパケットの先頭アドレス及び当該ピクチャに関するサイズ情報の組みである一以上のメタ情報を前記記録媒体から取得するメタ情報取得ステップと、
前記一以上のメタ情報の中から、次に再生すべき、独立して復号可能なピクチャを含むPESパケットを示すメタ情報を選択し、選択したメタ情報における前記先頭アドレスが示すTSパケットから前記サイズ情報が示す個数分のTSパケットを取得するTSパケット取得ステップと、
前記TSパケット取得ステップにより取得された各TSパケットの中から前記独立して復号可能なピクチャを取り出し復号化する復号化ステップと、
前記復号化ステップにより復号化された、前記独立して復号可能なピクチャを出力する出力ステップと
を備えること特徴とする再生方法。
【請求項３】
記録媒体に記録されているトランスポートストリームを高速再生する再生装置に設けられるシステム集積回路であって、
独立して復号可能なピクチャを含むPESパケットを構成するTSパケットの先頭アドレス及び当該ピクチャに関するサイズ情報の組みである一以上のメタ情報を前記記録媒体から取得するメタ情報取得手段と、
前記一以上のメタ情報の中から、次に再生すべき、独立して復号可能なピクチャを含むPESパケットを示すメタ情報を選択し、選択したメタ情報における前記先頭アドレスが示すTSパケットから前記サイズ情報が示す個数分のTSパケットを取得するTSパケット取得手段と、
前記TSパケット取得手段により取得された各TSパケットの中から前記独立して復号可能なピクチャを取り出し復号化する復号化手段と、
前記復号化手段により復号化された、前記独立して復号可能なピクチャを出力する出力手段と
を備えること特徴とするシステム集積回路。
【発明の詳細な説明】
【技術分野】
【０００１】
本発明は、メタ情報生成技術に関する。
【背景技術】
【０００２】
メタ情報とは、ビデオストリームを読み出すための情報であり、独立して復号可能な各ピクチャデータのアドレス及びサイズを示す。MPEG2（Moving Picture Experts Group phase 2）、MPEG4- AVC（Advanced Video Coding）等において、メタ情報作成技術は、フレーム間の相関性を用いて符号化されたビデオストリームを特殊再生するにあたって不可欠な技術であり、様々な記録媒体の応用層規格に採用されている。
【０００３】
MPEG2-Video、MPEG4-AVC等の符号化方式により符号化されたビデオストリームは、かかるフレーム間の相関性を用いて圧縮されているため、独立して復号可能なピクチャデータを復号した後でなければ、Ｐピクチャ、Ｂピクチャを復号できない。そこで再生装置は、メタ情報を読み込み、どの位置からどれだけのデータを読み込めばよいかを解釈する。これにより再生装置は、ビデオストリームの中身を実際に解析しなくても、ビデオストリームのどこから読み込みを始めれば独立して復号可能なピクチャデータを再生できるかを即断することができる。このようにメタ情報を利用することによって、データを不必要に読み込むことなく、次から次へと独立して復号可能なピクチャデータを読み出していくことができる。そのため、記録媒体にビデオストリームが記録されている場合、早送り再生や逆再生などのランダムアクセスを好適に実現することができる。
【０００４】
なお、メタ情報生成技術に関する先行技術としては、特許文献１に記載されたものがある。
【先行技術文献】
【特許文献】
【０００５】
【特許文献１】特開２０００−２２４５４３号公報
【発明の概要】
【発明が解決しようとする課題】
【０００６】
ところで、記録媒体をランダムアクセスするにあたって、独立して復号可能なピクチャデータを再生装置が読み出すには、ピクチャデータの先頭を“点”として示すアドレス情報だけでは足りず、そのピクチャデータがビデオストリームにおいて、どれだけのサイズを占めているかという“大きさ”の情報、つまりサイズ情報が必要になる。
DVDの記録装置は、エンコード時において、ピクチャデータをバイト単位で表現することによりサイズ情報を生成している。一方、既にエンコードされたTS（Transport Stream）を受信して記録媒体に書き込む場合でも、そのTSを一旦PES（Packetized Elementary Stream）に展開することで、かかるピクチャデータのサイズ情報を得ることができる。かかる展開を要するのは、ピクチャデータの終端は、当該ピクチャデータの次のピクチャデータに係るピクチャヘッダを検出することで把握されるので、記録装置はPESに展開しないと、ピクチャデータの終端がどこにあるかを検出することができないからである。
【０００７】
しかし、かかるPESへの展開は、メモリ等のハードウェア資源を必要とするので、記録装置の更なる簡略化の要請に応えることができない。さらに、記録装置はピクチャヘッダを検出するために、PESを１ビットずつ探索していく必要があるので、処理負荷も大きくなる。そのため、デジタルテレビ放送の携帯型受信装置には、適応が難しいとの問題がある。
【０００８】
本発明は上記問題に鑑みてなされたものであって、PESへの展開を必要とせずとも、独立して復号可能なピクチャデータについてのサイズ情報を生成することにより、メタ情報を生成する記録装置を提供することを目的とする。
【課題を解決するための手段】
【０００９】
上記課題を解決するために、本発明は、独立して復号可能なピクチャを含むPESパケットを構成するTSパケットの先頭アドレス及び当該ピクチャに関するサイズ情報を含むメタ情報を生成して、記録媒体に記録する記録装置であって、トランスポートストリームを構成するTSパケットの中から、PESパケットの先頭にあたるものを検出する検出手段と、当該PESパケットが、独立して復号可能なピクチャを包含しているか否かを判定する判定手段と、独立して復号可能なピクチャを包含していると判定されたPESパケットの先頭から、次のPESパケットの先頭までのサイズを前記サイズ情報として含むメタ情報を生成する生成手段とを備えることを特徴とする記録装置である。
【発明の効果】
【００１０】
TSを構成するTSパケットの中から、PESパケットの先頭にあたるものの検出や、当該PESパケットが独立して復号可能なピクチャを包含しているか否かの判定は、TSパケットを参照すれば行うことができ、PESへの展開を要しない。
また、独立して復号可能なピクチャを包含していると判定されたPESパケットの先頭から、次のPESパケットの先頭までに存在するTSパケットの個数を用いて、独立して復号可能なピクチャのサイズを近似表現するので、データサイズの精度は粗くなるものの、受信時において記録装置が行えばよい処理負荷は、DVD記録装置等、据え置き型記録装置と比べて格段に低くなる。これにより、メタ情報を生成するにあたっての処理負荷を大きく低下させることができるので、携帯型の記録装置の開発に大きく貢献することができる。
【００１１】
ここで、前記サイズとは、独立して復号可能なピクチャを包含していると判定されたPESパケットの先頭から、次のPESパケットの先頭までに存在するTSパケットの個数を用いて表現されるとしても良い。
ここで、前記検出手段は、さらに、前記TSパケットの中からPESパケットのサイズ情報を検出し、前記TSパケットの個数とは、前記PESパケットのサイズ情報に相当するTSパケットの個数であるとしても良い。
【００１２】
これにより、PESパケットのサイズ情報を用いて当該PESパケットの終端を判定するので、例えば、次に存在するはずのPESパケットの先頭が欠落していた場合であっても、その次に存在するPESパケットの先頭までに存在するTSパケットの全てを用いて前記ピクチャのサイズを近似するのではなく、前記PESパケットのサイズ情報に相当するTSパケットの個数により近似するので、データサイズの精度を向上させることができる。
【００１３】
ここで、前記検出手段は、さらに、前記独立して復号可能なピクチャを包含していると判定されたＴＳパケットから前記ピクチャの再生時間を示す情報と、当該ＴＳパケット以降に存在するＴＳパケットから、ビデオデータとオーディオデータとの同期をとるための基準クロック情報とを検出し、前記生成手段は、さらに、前記基準クロック情報が前記再生時間を示す情報以上の値を示すか否かを判定する時間情報判定手段を含み、前記TSパケットの個数とは、前記独立して復号可能なピクチャを包含していると判定されたPESパケットの先頭から、前記基準クロック情報が前記再生時間を示す情報以上の値を示すと判定されるまでに存在するTSパケットの個数であるとしても良い。
【００１４】
これにより、基準クロック情報が再生時間を示す情報以上の値を示すと判定された場合には、独立して復号可能なピクチャを包含していると判定されたPESパケットの先頭から、当該判定までのTSパケット数を用いて、当該ピクチャのサイズを近似表現するので、データサイズの精度を向上させることができる。
【図面の簡単な説明】
【００１５】
【図１】本発明に係るシステム図である。
【図２】本実施形態における記録再生装置３００の構成を示す機能ブロック図である。
【図３】メタ情報生成部３３０の詳細な構成を示す機能ブロック図である。
【図４】ＴＳパケットの構成を示す図である。
【図５】ビデオデータのＰＥＳパケットの先頭がpayloadに含まれている場合のＴＳパケットの構成を示した図である。
【図６】メタ情報の構成を示す図である。
【図７】メタ情報のビット配列を示す図である。
【図８】記録処理に関するフローチャートを示す図である。
【図９】メタ情報生成処理に関するフローチャートを示す図である。
【図１０】メタ情報生成処理に関するフローチャートを示す図である。
【図１１】高速再生処理に関するフローチャートを示す図である。
【図１２】本発明を模式的に示す図である。
【図１３】図１２に示す場合におけるTSE_INFO5テーブルを示す図である。
【図１４】第二実施形態におけるメタ情報生成処理２に関するフローチャートを示す図である。
【図１５】第二実施形態におけるメタ情報生成処理２に関するフローチャートを示す図である。
【図１６】第二実施形態におけるメタ情報生成処理３に関するフローチャートを示す図である。
【図１７】第二実施形態におけるメタ情報生成処理３に関するフローチャートを示す図である。
【発明を実施するための形態】
【００１６】
以下、本発明の実施の形態について、図面を参照しながら説明する。
（第一実施形態）
＜システムの概要＞
本発明に係る記録再生装置３００の実施形態について説明する。先ず始めに、本発明に係る記録再生装置３００の実施行為のうち、使用行為についての形態を説明する。本発明に係る記録再生装置３００は、図１に示すようなシステムでユーザの使用に供される。図１に示すシステムは、放送システム１００、送信アンテナ２００、記録再生装置３００、及び情報記録媒体４００を含んで構成される。
【００１７】
放送システム１００は、デジタル放送で送信されるストリームデータを作成するシステムである。作成されるストリームデータは、社団法人電波産業会の規定である「地上デジタルテレビジョン放送運用規定」（ＡＲＩＢ ＴＲ Ｂ―１４）のＣプロファイルに関する規定や、これに関連する規格でデジタル放送用に規定されたＩＳＯ／ＩＥＣ１３８１８―１のＭＰＥＧ２トランスポートストリームで、ビデオデータやオーディオデータなどが多重化されている。多重化されるビデオデータは、例えば、ＭＰＥＧ４−ＡＶＣ規格（ＩＳＯ／ＩＥＣ１４４９６―１０）で規定されているビデオデータで、オーディオデータは、例えば、ＭＰＥＧ２−ＡＡＣ規格（ＩＳＯ／ＩＥＣ１３８１８―７）で規定されているオーディオデータである。
【００１８】
送信アンテナ２００は、デジタル放送の放送波を送信する。放送システム１００で作成されたストリームデータは、送信アンテナ２００を介して送信される。
記録再生装置３００はアンテナ部、表示部などを含んで構成される。アンテナ部でストリームデータを受信し、受信したストリームデータのメタ情報を生成する。そして、受信したストリームデータ及び当該ストリームデータのメタ情報を情報記録媒体４００に記録する。また、記録再生装置３００は前記メタ情報に基づいて情報記録媒体４００に記録されているストリームデータを取得し、表示部に表示する。
【００１９】
情報記録媒体４００は、データを記録しておくための記録媒体であり、具体的には、光ディスク、磁気ディスク、半導体メモリ等である。本発明に係る記録再生装置３００は、情報記録媒体４００にストリームデータ及び当該ストリームデータのメタ情報を記録する。なお、以下の実施の形態では、情報記録媒体４００はSDカードであるものとして説明する。
【００２０】
以上が、記録再生装置３００の使用行為の形態である。
続いて、本発明に係る記録再生装置３００の実施形態について図面を参照しながら説明する。
＜構成＞
図２は、本実施形態における記録再生装置３００の構成を示す機能ブロック図である。記録再生装置３００は、ＵＩ（User Interface）部３１０、システム制御部３２０、メタ情報生成部３３０、入力部３４０、情報記録媒体制御部３５０、デコード部３６０、及び出力部３７０を含んで構成される。
【００２１】
記録再生装置３００は具体的にはマイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサが、前記コンピュータプログラムに従って動作することにより、記録再生装置３００はその機能を達成する。
【００２２】
ＵＩ部３１０は、ユーザ操作を受け付け、操作内容（録画、再生など）に基づいてシステム制御部３２０に対して指示を行う。
システム制御部３２０は、ＵＩ部３１０からの指示を受けて、メタ情報生成部３３０、情報記録媒体制御部３５０、及びデコード部３６０を制御する。
メタ情報生成部３３０は、システム制御部３２０から録画の指示を受けると、入力部３４０からストリームデータを取得し、メタ情報を生成する。メタ情報生成部３３０は、ストリームデータと、生成したメタ情報とを情報記録媒体制御部３５０に出力する。より詳細には、メタ情報生成部３３０は、図３に示すように、ＴＳパケット解析部３３１、ＴＰＩ保持部３３２、ＴＳパケット数カウント部３３３、メタ情報格納部３３４、及びメタ情報生成制御部３３５を含んで構成される。
【００２３】
ＴＳパケット解析部３３１は、入力部３４０からＴＳパケットを逐次取得し、取得したＴＳパケットにビデオのＰＥＳヘッダが含まれているか否かをＰＩＤ及びpayload_unit_start_indicatorにより判定する。ビデオのＰＥＳヘッダが含まれていると判定した場合には、さらにprimary_pic_typeによりＩＤＲピクチャを含んでいるか否かを判定する。ＩＤＲピクチャを含んでいると判定した場合には、当該ＴＳパケットに付された番号をＴＰＩ保持部３３２に出力する。
【００２４】
ＴＰＩ保持部３３２は、ＴＳパケット解析部３３１によりＩＤＲピクチャを含んでいると判定されたＴＳパケットの番号を保持する。
ＴＳパケット数カウント部３３３は、取得したＴＳパケットがＴＳパケット解析部３３１により判定される時に１だけインクリメントされる。具体的には、ＴＳパケット解析部３３１によりＴＳパケットはＩＤＲピクチャを含んでいると判定された時にインクリメントされ、また、それ以降、次にＴＳパケット解析部３３１によりＴＳパケットはビデオのＰＥＳヘッダを含んでいると判定されるまでインクリメントされる。
【００２５】
メタ情報格納部３３４は、ＴＰＩ保持部３３２により保持されているＴＳパケットの番号と、ＴＳパケット数カウント部３３３によりカウントされたＴＳパケットの数とを対応付けたメタ情報を格納する。ここで、メタ情報とは、ストリームデータの構成および管理情報を含んだデータである。本発明では、記録再生装置３００がストリームデータの高速再生を行うことを助けるための情報をメタ情報として生成する。
【００２６】
メタ情報生成制御部３３５は、システム制御部３２０からの指示を受けて、ＴＳパケット解析部３３１を制御する。また、システム制御部３２０からの指示を受けて、メタ情報格納部３３４に格納されているメタ情報を情報記録媒体制御部３５０に出力する。
入力部３４０は、デジタル放送波として送出されるストリームデータを受信する。また、受信したストリームデータを構成するＴＳパケットに番号を付す。番号は、コンテンツの先頭のＴＳパケットを０とする。以後、ＴＳパケット毎に連続する番号を付す。入力部３４０は、具体的には、アンテナ、及びテレビ信号の入力手段等を含んで構成される。
【００２７】
情報記録媒体制御部３５０は、情報記録媒体４００へのストリームデータ及びメタ情報の記録や情報記録媒体４００からのストリームデータ及びメタ情報の取得などを制御する。システム制御部３２０から録画の指示を受けると、情報記録媒体制御部３５０は、メタ情報生成部３３０から出力されたストリームデータ、及び当該ストリームデータのメタ情報を情報記録媒体４００に記録する。
【００２８】
また、システム制御部３２０から再生の指示を受けると、情報記録媒体制御部３５０は、情報記録媒体４００に記録されているメタ情報を取得し、デコード部３６０に出力する。そして、デコード部３６０より要求されたストリームデータの部分を取得し、デコード部３６０に出力する。
デコード部３６０は、システム制御部３２０から再生の指示を受けると、情報記録媒体制御部３５０からストリームデータのメタ情報を受け取る。そして、メタ情報に基づいて、ＩＤＲピクチャを含むＰＥＳパケットに相当するストリームデータの部分の取得を情報記録媒体制御部３５０に要求する。要求したストリームデータを受け取ると、受け取ったストリームデータの中からIＤＲピクチャをデコードする。一般的にはさらに、オーディオデータをデコードする。デコード部３６０は、ストリームデータをデコードした後、デコードにより生成された映像信号、音声信号などを出力部３７０へ出力する。ここで、デコード後の映像信号、音声信号は、非圧縮のデジタルデータである。
【００２９】
出力部３７０は、デコード部３６０からの信号を再生する。具体的には、ＬＣＤ等の映像表示部、スピーカー等の音声再生部を含んで構成される。
以上が、記録再生装置３００の構成である。
＜ＴＳパケットの構成＞
続いて、ＴＳパケットの構成について説明する。
【００３０】
ストリームデータは、ＴＳパケットから構成される。図４は、ＴＳパケットの構成を示した図である。ＴＳパケットは、ＴＳヘッダと、payloadとで構成される。ＴＳヘッダは、payload_unit_start_indicator、PID、及びAdaptation_field_controlを含んで構成される。
payload_unit_start_indicatorは、TSパケットの中にＰＥＳパケットの先頭が含まれているか否か（payloadにＰＥＳパケットヘッダが含まれているか否か）を示す。
【００３１】
PIDは、ＴＳパケットの種類を示し、具体的にはpayloadにビデオデータが含まれているのか、オーディオデータが含まれているのかを示す。
Adaptation_field_controlは、Adaptation_fieldとpayloadのどちらか一方が存在するか、あるいは両方存在するかを示す。Adaptation_fieldが存在する場合には、Adaptation_field内にAdaptation_field_lengthを含む。
【００３２】
Adaptation_field_lengthは、Adaptation_fieldのサイズを示す。
payloadは、ビデオデータ、またはオーディオデータを含む。
続いて図５は、ビデオデータのＰＥＳパケットの先頭がpayloadに含まれている場合のＴＳパケットの構成を示した図である。本図に示すように、payloadは、ＰＥＳパケットを含む。ＰＥＳパケットは、ＰＥＳヘッダと、ＥＳ（Elementary Stream）とから構成される。
【００３３】
ＰＥＳヘッダは、PES_packet_length、及びＰＴＳ（Presentation Time Stamp）を含んで構成されている。
PES_packet_length、はＰＥＳパケットのサイズを示す。
ＰＴＳは、ＰＥＳヘッダ直後のピクチャデータの再生時間を示す。
前記ＡＲＩＢ ＴＲ Ｂ―１４のＣプロファイル規定に従ったストリームデータに含まれるビデオデータのＰＥＳパケットは、1個以上の整数個のピクチャデータから構成される。したがって、ビデオデータのＰＥＳパケットに係るＰＥＳヘッダのあとは、ピクチャデータであり、通常、Access Unit delimiterの部分となる。Access Unit delimiterは、primary_pic_typeを含んで構成される。
【００３４】
Primary_pic_typeは、ピクチャデータのピクチャの種別（ＩＤＲピクチャ、ＩＤＲピクチャ以外）を識別する情報である。IDRピクチャとは、そのピクチャより前のピクチャの情報を一切使わなくても、それ以後のピクチャが正しく復号できることを意味するピクチャである。
なお、前記ＡＲＩＢ ＴＲ Ｂ―１４のＣプロファイル規定に従ったストリームデータに含まれるビデオデータのＰＥＳでは、ＩＤＲピクチャは必ずＰＥＳパケットの先頭に位置する。
＜メタ情報＞
続いて、図６はメタ情報の構成を示す図である。MOI（Media Object Information）ファイルは、メタ情報が記載されたファイルであり、TstTypeと、TSE_TABLE5とを含む。
【００３５】
TstTypeは、当該MOIファイルが、本発明の実施形態に係るメタ情報を示すファイルであるか否かを示す。
TSE_TABLE5は、TSE_INFO5を含み、TSE_INFO5はEntryPESPacketNumと、TPI（Transport Packet Index）とを含む。TSE_INFO5は、メタ情報生成部３３０によりIDRピクチャと同数だけ生成される。
【００３６】
EntryPESPacketNumは、ＩＤＲピクチャを含むＰＥＳパケット全体を取得するために必要なＴＳパケットの数を示す。
TPIは、ＩＤＲピクチャを含むＰＥＳパケットを構成するＴＳパケットのうち、ＩＤＲピクチャの最初のバイトを含むＴＳパケットに付された番号を示す。
続いて図７は、本発明に係るTSE_INFO5テーブルのビット配列の一例を示した図である。図６記載のEntryPESPacketNum及びTPIは、図７に示されるビット配列として情報記録媒体４００に記録される。記録再生装置３００は、本発明に係るTSE_INFO5テーブルを読み書きすることができる。
＜記録処理＞
続いて、記録再生装置３００の記録処理について図８に示すフローチャートを用いて説明する。
【００３７】
まず、ＵＩ部３１０はユーザから記録開始の指示を受け付けると（ステップＳ１０１）、システム制御部３２０へ記録開始を指示する（ステップＳ１０２）。システム制御部３２０は、メタ情報生成部３３０、及び情報記録媒体制御部３５０に記録開始を指示する（ステップＳ１０３）。メタ情報生成部３３０は、記録開始指示を受けると、初期化処理終了後、入力部３４０からストリームデータを取得する（ステップＳ１０４）。メタ情報生成部３３０は、ＴＳパケットなどの一定のサイズごとにストリームデータを取得する。システム制御部３２０は、ＵＩ部３１０、または情報記録媒体制御部３５０から記録停止の指示を受け付けたか否かを判断する（ステップＳ１０５）。記録停止の指示を受け付けていれば、記録再生装置３００は記録終了処理（ステップＳ１０９〜Ｓ１１１）を行う。ここで、ＵＩ部３１０は、ユーザから記録停止の指示を受けていた場合、システム制御部３２０に記録停止を指示し、情報記録媒体制御部３５０は、情報記録媒体４００に記録する残量が少なくなった時にシステム制御部３２０に記録停止を指示する。また、記録停止の指示を受け付けていなければ記録処理を続行する。
【００３８】
記録処理を続行する場合、メタ情報生成部３３０、及び情報記録媒体制御部３５０は、ステップＳ１０６、１０７、１０８、１０４を実行し続ける。すなわち、メタ情報生成部３３０は、ステップＳ１０４で取得したストリームデータを情報記録媒体制御部３５０に出力する（ステップＳ１０６）。情報記録媒体制御部３５０は、ストリームデータを取得すると、情報記録媒体４００にストリームデータを記録する（ステップＳ１０７）。それと同時に、メタ情報生成部３３０は、必要があれば取得したストリームデータからメタ情報を生成し（ステップＳ１０８）、新たなストリームデータを取得する（ステップＳ１０４）。
【００３９】
記録終了処理（ステップＳ１０９〜Ｓ１１１）では、記録再生装置３００は情報記録媒体４００にメタ情報を記録する。すなわち、システム制御部３２０は、メタ情報生成部３３０、及び情報記録媒体制御部３５０に記録停止を指示する（ステップＳ１０９）。これを受け、メタ情報生成部３３０は、記録されたストリームデータのメタ情報を情報記録媒体制御部３５０へ出力する（ステップＳ１１０）。情報記録媒体制御部３５０は、出力されたメタ情報を受け取り、情報記録媒体４００に記録する（ステップＳ１１１）。
【００４０】
以上が記録再生装置３００の記録処理である。
＜メタ情報生成処理＞
続いて、メタ情報生成部３３０によるメタ情報生成処理について図９、１０に示すフローチャートを用いて説明する。
本フローチャートにおいて、ｎはTSパケット数を特定する変数である。まず、ＴＳパケット解析部３３１は、メタ情報生成制御部３３５より記録開始の指示を受けると、入力部３４０からＴＳパケットを取得する（ステップＳ２０１）。ＴＳパケット解析部３３１は、ＴＳパケットのＴＳヘッダのpayload_unit_start_indicator、及びＰＩＤを参照し、payloadにビデオデータのＰＥＳパケットヘッダが含まれているか否かを判定する（ステップＳ２０２）。含まれていないと判定すると、ＴＳパケット解析部３３１は、当該ＴＳパケットを情報記録媒体４００に出力し（ステップＳ２０３）、ステップＳ２０１に移行する。
【００４１】
payloadにビデオデータのＰＥＳパケットヘッダが含まれていると判定されると、メタ情報生成制御部３３５は、ステップＳ２０１〜Ｓ２０３を実行中に、システム制御部３２０から録画停止の指示があったか否かを判断する（ステップＳ２０４）。録画停止の指示はなかったと判断されると、ＴＳパケット解析部３３１は、primary_pic_typeを参照し、当該ＴＳパケットを含んで構成されるPESパケットにIDRピクチャが含まれているか否かを判定する（ステップＳ２０５）。含まれていないと判定すると、ステップＳ２０３に移行する。
【００４２】
すなわち、ＴＳパケット解析部３３１は、payloadにビデオデータのＰＥＳパケットヘッダが含まれており、さらにIDRピクチャを含むPESパケットを構成するＴＳパケットを取得するまで、ＴＳパケットを取得する（ステップＳ２０１〜Ｓ２０５）。
IDRピクチャが含まれていると判定されると、ＴＰＩ保持部３３２は、当該ＴＳパケットに付された番号を保持する（ステップＳ２０６）。ＴＳパケット解析部３３１は、ｎを１に設定する（ステップＳ２０７）。ＴＳパケット解析部３３１は、当該ＴＳパケットを情報記録媒体４００に出力し（ステップＳ２０８）、入力部３４０からＴＳパケットを取得する（ステップＳ２０９）。ＴＳパケット解析部３３１は、payload_unit_start_indicator、及びＰＩＤを参照し、payloadにビデオデータのＰＥＳパケットヘッダが含まれているか否かを判定する（ステップＳ２１０）。含まれていないと判定すると、ｎを１計数し（ステップＳ２１１）、ステップＳ２０８に移行する。含まれていると判定すると、ｎをＥｎｔｒｙＰＥＳＰａｃｋｅｔＮｕｍとする（ステップＳ２１２）。ＥｎｔｒｙＰＥＳＰａｃｋｅｔＮｕｍは、独立して復号可能なピクチャに関するサイズ情報である。メタ情報格納部３３４は、ＥｎｔｒｙＰＥＳＰａｃｋｅｔＮｕｍと、ＴＰＩ保持部３３２により保持されているＴＳパケットの番号（ＴＰＩ）とを対応付けたメタ情報を格納する（ステップＳ２１３）。そして、ステップＳ２０４に移行する。
【００４３】
また、ステップＳ２０４において、録画停止の指示があったと判断されると、メタ情報生成制御部３３５は、メタ情報格納部３３４に格納されているメタ情報を情報記録媒体制御部３５０に出力する（ステップＳ２１４）。
以上がメタ情報生成部３３０によるメタ情報生成処理である。
＜高速再生処理＞
続いて、記録再生装置３００の高速再生処理について図１１に示すフローチャートを用いて説明する。
【００４４】
まず、ＵＩ部３１０はユーザから高速再生開始の指示を受け付けると（ステップＳ３０１）、システム制御部３２０に高速再生開始を指示する（ステップＳ３０２）。システム制御部３２０は、デコード部３６０、及び情報記録媒体制御部３５０に高速再生開始を指示する（ステップＳ３０３）。指示を受けた情報記録媒体制御部３５０は、情報記録媒体４００からメタ情報を取得し（ステップＳ３０４）、取得したメタ情報をデコード部３６０へ出力する（ステップＳ３０５）。デコード部３６０は、メタ情報を取得すると（ステップＳ３０６）、次に再生すべきＩＤＲピクチャを含むＰＥＳパケットを示すメタ情報（TPI及びEntryPESPacketNum）を選択する（ステップＳ３０７）。そして、情報記録媒体制御部３５０に選択したメタ情報に対応するストリームデータの取得を要求する（ステップＳ３０８）。情報記録媒体制御部３５０は、要求を受け取ると、メタ情報に対応するストリームデータを取得し（ステップＳ３０９）、取得したストリームデータをデコード部３６０に出力する（ステップＳ３１０）。デコード部３６０は、ストリームデータを取得すると、取得したストリームデータの中からＩＤＲピクチャを復号化する（ステップＳ３１１）。そして、復号化により生成した画像を出力部３７０へ送る（ステップＳ３１２）。出力部３７０は、取得した画像を表示する（ステップＳ３１３）。この後、デコード部３６０、及び情報記録媒体制御部３５０が、ステップＳ３０７からＳ３１３を実行中に、ＵＩ部３１０はユーザから高速再生停止の指示を受けていたか否かを判断する（ステップＳ３１４）。停止の指示を受けていた場合、ＵＩ部３１０は、システム制御部３２０に高速再生停止を指示し、システム制御部３２０は、デコード部３６０、及び情報記録媒体制御部３５０に高速再生停止を指示する。これにより、記録再生装置３００は、高速再生処理を終了する。停止の指示を受けていない場合、デコード部３６０、及び情報記録媒体制御部３５０は、ステップＳ３０７からＳ３１３を実行し続け、記録再生装置３００は高速再生処理を続行する。
【００４５】
以上が記録再生装置３００の高速再生処理である。
＜具体例＞
続いて、図１２は本発明を模式的に示す図である。図１２において、上図はビデオフレームを示し、中図はＰＥＳパケット（ビデオデータのみ）を示し、下図はＴＳパケットを示す。下図において、「Ｖ」はビデオデータを格納しているＴＳパケットを示し、「Ａ」はオーディオデータを格納しているＴＳパケットを示す。０から３４までの数字は、それぞれのＴＳパケットに付された番号を示す。また本図に示すように、ＰＥＳパケットは複数のピクチャから構成され、各ピクチャは１つのＰＥＳパケットで完結し、複数のＰＥＳパケットに跨って格納されることはない。
【００４６】
ＴＳパケット解析部３３１は、コンテンツの先頭のＴＳパケットＶ０を取得すると、ビデオデータのＰＥＳパケットヘッダが含まれているか否かを判定する。ここで、ＴＳパケットＶ０は、本図に示すように、ビデオデータのＰＥＳパケットヘッダを含んでいる。よって、ＴＳパケット解析部３３１は、さらにＴＳパケットV０を含んで構成されるPESパケットがＩＤＲピクチャを含んでいるか否かを判定する。本図に示すように、ＩＤＲピクチャを含んでいるので、ＴＰＩ保持部３３２は、ＴＰＩとして当該ＴＳパケットに付された番号０を保持する。また、ＴＳパケット数カウント部３３３におけるＴＳパケット数を１とする。続いて、ＴＳパケット解析部３３１は、ＴＳパケットＶ１を取得し、ビデオデータのＰＥＳパケットヘッダが含まれているか否かを判定する。ビデオデータのＰＥＳパケットヘッダを含んでいないので、ＴＳパケット数を１だけインクリメントし、次のＴＳパケットＡ２を取得する。同様の処理をＴＳパケットＶ１３まで行う。
【００４７】
続いて、ＴＳパケット解析部３３１は、ＴＳパケットＶ１４を取得すると、ビデオデータのＰＥＳパケットヘッダが含まれているか否かを判定する。ここで、ＴＳパケットＶ１４は、本図に示すように、ビデオデータのＰＥＳパケットヘッダを含んでいる。よって、ＴＳパケットＶ１３とＴＳパケットＶ１４の間がＰＥＳパケットの境界となるので、これまでにカウントされたＴＳパケット数をEntryPESPacketNumとする。そして、メタ情報格納部３３４は、EntryPESPacketNumとＴＰＩ保持部に保持されている番号とを対応付けて格納する。
【００４８】
ＴＳパケット解析部３３１は、さらにＴＳパケットＶ１４を含んで構成されるPESパケットがＩＤＲピクチャを含んでいるか否かを判定する。本図に示すように、ＩＤＲピクチャを含んでいないので、ＴＳパケットＶ１５を取得し、ビデオデータのＰＥＳパケットヘッダが含まれているか否かを判定する。ビデオデータのＰＥＳパケットヘッダを含んでいないので、次のＴＳパケットＶ１６を取得する。同様の処理をＴＳパケットＶ２４まで行う。
【００４９】
続いて、ＴＳパケット解析部３３１は、ＴＳパケットＶ２５を取得すると、ビデオデータのＰＥＳパケットヘッダが含まれているか否かを判定する。ここで、ＴＳパケットＶ２５は、本図に示すように、ビデオデータのＰＥＳパケットヘッダを含んでいる。よって、ＴＳパケット解析部３３１は、さらにＴＳパケットＶ２５を含んで構成されるPESパケットがＩＤＲピクチャを含んでいるか否かを判定する。本図に示すように、ＩＤＲピクチャを含んでいるので、ＴＰＩ保持部３３２は、ＴＰＩとして当該ＴＳパケットに付された番号２５を保持する。また、ＴＳパケット数カウント部３３３におけるＴＳパケット数を１とする。続いて、ＴＳパケット解析部３３１は、ＴＳパケットＡ２６を取得し、ビデオデータのＰＥＳパケットヘッダが含まれているか否かを判定する。ビデオデータのＰＥＳパケットヘッダを含んでいないので、ＴＳパケット数を１だけインクリメントし、次のＴＳパケットＶ２７を取得する。同様の処理をＴＳパケットＶ３１まで行う。
【００５０】
続いて、ＴＳパケット解析部３３１は、ＴＳパケットＶ３２を取得すると、ビデオデータのＰＥＳパケットヘッダが含まれているか否かを判定する。ここで、ＴＳパケットＶ３２は、本図に示すように、ビデオデータのＰＥＳパケットヘッダを含んでいる。よって、ＴＳパケットＶ３１とＴＳパケットＶ３２の間がＰＥＳパケットの境界となるので、これまでにカウントされたＴＳパケット数をEntryPESPacketNumとする。そして、メタ情報格納部３３４は、EntryPESPacketNumとＴＰＩ保持部に保持されている番号とを対応付けて格納する。
【００５１】
図１３は、以上のようにして生成されたTSE_INFO5テーブルを示す図である。
以上のように本実施形態によれば、ＴＳパケットにビデオデータのPESパケットヘッダが含まれているか否かの判定や、当該PESパケットがＩＤＲピクチャを包含しているか否かの判定は、TSパケットのＴＳヘッダ、及びAccess Unit delimiterを参照すれば行うことができ、PESストリームへの展開を要しない。
【００５２】
また、ＩＤＲピクチャを包含していると判定されたPESパケットを構成するTSパケットの個数を用いて、当該ＩＤＲピクチャのサイズを近似表現するので、データサイズの精度は粗くなるものの、受信時において記録再生装置３００が行えばよい処理負荷は、DVD記録装置等、据え置き型記録装置と比べて格段に低くなる。
（第二実施形態）
第一実施形態では、ＩＤＲピクチャを包含していると判定されたPESパケットを構成するTSパケットの個数を用いて、ＩＤＲピクチャのサイズを近似表現することにより、処理負荷の軽減を図った。しかし、例えば、デジタル放送の電波が届きにくいところで放送を受信した場合等、受信したストリームデータの内容が実際に送信された内容と異なる場合がある。このような場合では、受信したストリームデータ中のＴＳパケットの欠落により、ＰＥＳパケットの先頭を含むＴＳパケットを取得することができず、適切な近似をすることができないことが考えられる。
【００５３】
そこで、本実施形態では、記録再生装置３００はＰＥＳパケットの境界を判定する際に、ＰＥＳパケットの先頭を含むＴＳパケットを検出するのではなく、ＰＥＳパケットのサイズ情報、ＰＴＳ、ＰＣＲを利用し、適切な近似を行う。
まず、ＩＤＲピクチャを包含していると判定されたPESパケットのサイズ情報を用いることにより、ＩＤＲピクチャのサイズを近似表現する方法について述べる。
【００５４】
この方法により近似表現する場合には、ＴＳパケット解析部３３１ａは、第一実施形態で示した機能に加え、ＴＳパケットのprimary_pic_typeを参照することにより、当該ＴＳパケットを含んで構成されるPESパケットにＩＤＲピクチャが含まれていると判定した場合に、PES_packet_lengthを取得する機能を有する。また、前記判定後、ＴＳパケットを取得する毎に、ＴＳパケットの合計サイズとＰＥＳパケットのサイズとを比較し、ＴＳパケットの合計サイズがＰＥＳパケットのサイズ以上になったか否かを判定する。ＰＥＳパケットのサイズ以上になった場合には、それまでにカウントされたTSパケット数をEntryPESPacketNumとする。
＜メタ情報生成処理２＞
続いて、上述した方法によるメタ情報生成処理２について図１４、１５に示すフローチャートを用いて説明する。
【００５５】
本フローチャートにおいて、ｎはTSパケット数を特定する変数であり、lengthは取得したTSパケットのpayloadの合計サイズを特定する変数である。ステップS４０１からステップS４０７までの処理は、図９におけるステップS２０１からステップS２０６までの処理と同様である。
すなわち、ＴＳパケット解析部３３１ａは、payloadにビデオのＰＥＳパケットヘッダが含まれているＴＳパケットを取得するまで、ＴＳパケットを取得する（ステップＳ４０１〜ステップＳ４０４）。また、録画停止の指示がなかったと判断されると（ステップＳ４０５でNo）、ＴＳパケット解析部３３１ａは、ＩＤＲピクチャを含むＰＥＳパケットを構成するＴＳパケットを取得するまで、ＴＳパケットを取得し（ステップＳ４０６）、ＩＤＲピクチャを含むＰＥＳパケットを構成するＴＳパケットを取得すると、当該TSパケット番号を保持する（ステップＳ４０７）。録画停止の指示があったと判断されると（ステップＳ４０５でＹｅｓ）、メタ情報生成制御部３３５は、メタ情報格納部３３４に格納されているメタ情報を情報記録媒体制御部３５０に出力する（ステップＳ４２１）。
【００５６】
次に、ＩＤＲピクチャが含まれていると判定されると、TSパケット解析部３３１ａはPESヘッダからPES_packet_lengthを取得する（ステップＳ４０８）。ｎを１に設定し、lengthを０に設定する（ステップＳ４０９）。ＴＳパケット解析部３３１は、当該ＴＳパケットを情報記録媒体制御部３５０に出力し（ステップＳ４１０）、入力部３４０からＴＳパケットを取得する（ステップＳ４１１）。ＴＳパケット解析部３３１ａは、取得したＴＳパケットのＰＩＤを参照し、payloadにビデオデータが含まれているか否かを判定する（ステップＳ４１２）。含まれていないと判定されると、ｎを１計数し（ステップＳ４１３）、ステップＳ４１０に移行する。含まれていると判定されると、TSパケット解析部３３１ａは、Adaptation_field_control=01か否かを判定する（ステップＳ４１４）。Adaptation_field_control=01と判定されると、lengthに１８４加算した値を新たなlengthとする（ステップＳ４１５）。そして、lengthはPES_packet_length+6以上か否かを判定する（ステップＳ４１６）。判定が肯定であれば、ｎをEntryPESPacketNumとする（ステップＳ４１９）。そしてメタ情報格納部３３４は、EntryPESPacketNumと、ＴＰＩ保持部３３２により保持されているＴＳパケットの番号（ＴＰＩ）とを対応付けたメタ情報を格納し（ステップＳ４２０）、ステップＳ４０４に移行する。判定が否定であれば、ステップＳ４１３に移行する。Adaptation_field_control=01でないと判定されると、Adaptation_field_control=11か否かを判定する（ステップＳ４１７）。Adaptation_field_control=11と判定されると、length+184- Adaptation_field_lengthを新たなlengthとする（ステップＳ４１８）。ステップＳ４１６に移行する。
【００５７】
以上がメタ情報生成処理２である。
次に、ＩＤＲピクチャを包含していると判定されたPESパケットのPTS、及びPCR(Program Clock Reference)を用いることにより、ＩＤＲピクチャのサイズを近似表現する方法について述べる。
この方法により近似表現する場合には、ＴＳパケット解析部３３１ｂは、第一実施形態で示した機能に加え、ＴＳパケットのprimary_pic_typeを参照することにより、当該ＴＳパケットを含んで構成されるPESパケットにＩＤＲピクチャが含まれていると判定した場合に、当該ＴＳパケットからＰＴＳを取得する機能を有する。また、前記判定後、ＴＳパケットを取得する毎に、当該TSパケットがAdaptation_fieldを含んでいるか否かを判定し、含んでいる場合には、当該TSパケットからＰＣＲを取得する機能を有する。さらに、取得したPTSとPCRを比較し、取得したＰＣＲがＰＴＳ以上か否かを判定する。ＰＴＳ以上になった場合には、それまでにカウントされたTSパケット数をEntryPESPacketNumとする。
【００５８】
PCRは、ビデオデータとオーディオデータとの同期をとるための基準クロック情報であり、Adaptation_fieldに含まれる。
＜メタ情報生成処理３＞
続いて、上述した方法によるメタ情報生成処理３について図１６、１７に示すフローチャートを用いて説明する。
【００５９】
本フローチャートにおいて、ｎはTSパケット数を特定する変数である。ステップS５０１からステップS５０７までの処理は、図９におけるステップS２０１からステップS２０６までの処理と同様である。すなわち、ＴＳパケット解析部３３１ｂは、payloadにビデオのＰＥＳパケットヘッダが含まれているＴＳパケットを取得するまで、ＴＳパケットを取得する（ステップＳ５０１〜ステップＳ５０４）。また、録画停止の指示がなかったと判断されると（ステップＳ５０５でＮｏ）、ＴＳパケット解析部３３１ｂは、ＩＤＲピクチャを含むＰＥＳパケットを構成するＴＳパケットを取得するまで、ＴＳパケットを取得し（ステップＳ５０６）、ＩＤＲピクチャを含むＰＥＳパケットを構成するＴＳパケットを取得すると、当該TSパケット番号を保持する（ステップＳ５０７）。録画停止の指示があったと判断されると（ステップＳ５０５でＹｅｓ）、メタ情報生成制御部３３５は、メタ情報格納部３３４に格納されているメタ情報を情報記録媒体制御部３５０に出力する（ステップＳ５１９）。
【００６０】
次に、ＩＤＲピクチャが含まれていると判定されると、ＴＳパケット解析部３３１ｂは、PESヘッダからＰＴＳを取得する（ステップＳ５０８）。ｎを１に設定する（ステップＳ５０９）。ＴＳパケット解析部３３１ｂは、当該ＴＳパケットを情報記録媒体制御部３５０に出力し（ステップＳ５１０）、入力部３４０からＴＳパケットを取得する（ステップＳ５１１）。ＴＳパケット解析部３３１ｂは、取得したＴＳパケットのＰＩＤを参照し、payloadにビデオデータが含まれているか否かを判定する（ステップＳ５１２）。含まれていないと判定されると、ｎを１計数し（ステップＳ５１３）、ステップＳ５１０に移行する。含まれていると判定されると、ＴＳパケット解析部３３１ｂは、Adaptation_fieldが存在するか否かを判定する（ステップＳ５１４）。Adaptation_fieldが存在しないと判定されると、ステップＳ５１３に移行する。Adaptation_fieldが存在すると判定されると、当該ＴＳパケットに含まれているＰＣＲを取得する（ステップＳ５１５）。取得したＰＣＲはＰＴＳ以上か否かを判定する（ステップＳ５１６）。判定が肯定であれば、ｎをEntryPESPacketNumとする（ステップＳ５１７）。メタ情報格納部３３４は、EntryPESPacketNumと、ＴＰＩ保持部３３２により保持されているＴＳパケットの番号（ＴＰＩ）とを対応付けたメタ情報を格納する（ステップS５１８）。判定が否定であれば、ステップＳ５１３に移行する。
【００６１】
以上がメタ情報生成処理３である。
最後に、ＩＤＲピクチャを包含していると判定されたPESパケットのPTS、及びそれ以降のビデオデータあるいはオーディオデータのＰＥＳヘッダのＰＴＳを用いることにより、ＩＤＲピクチャのサイズを近似表現する方法について述べる。
ＴＳパケット解析部３３１ｃは、IＤＲピクチャを含むＰＥＳパケットを構成するＴＳパケットを取得した際に、当該ＰＥＳパケットのＰＴＳの情報を取得する。ＴＳパケット解析部３３１ｃは、それ以降、ビデオデータとオーディオデータのＰＥＳヘッダのＰＴＳを取得する。
【００６２】
ビデオデータのＰＴＳを取得すると、少なくともＩＤＲピクチャ以降のピクチャのＰＴＳに当たるため、それまでに少なくとも当該ＩＤＲピクチャを含むＰＥＳパケットを構成するTSパケットを取得していることが判別できる。
オーディオデータのＰＴＳを取得するとＩＤＲピクチャのＰＴＳと比較する。ＩＳＯ／ＩＥＣ１３８１８−１で規定されているデコードモデル、オーディオフレームのサイズなどを考慮すると、オーディオデータとビデオデータのＰＴＳの差における許容量が計算できる。取得したオーディオデータのＰＴＳが、その許容量を超えている場合、ＴＳパケット解析部３３１ｃは、ビデオデータのＰＴＳをとり損ねた可能性が高く、それまでに少なくともＩＤＲピクチャが含まれていることを判別できる。
【００６３】
以上のように本実施形態によれば、デジタル放送の電波が届きにくいところで放送を受信した場合等、受信したストリームデータの内容が実際に送信された内容と異なる場合であっても、IDRピクチャのサイズを適切に近似することができる。
（補足）
上記の実施形態では、高速再生処理について説明したが、例えば、サムネイル表示等の他の特殊再生であっても良い。
【００６４】
上記の実施形態では、デコード部３６０はＰＥＳパケットからＩＤＲピクチャのみを復号化するとしたが、ＩＤＲピクチャのみでなく、ＰＥＳパケットに含まれる全ピクチャを復号化して、出力部３７０に送ってもよい。
上記の実施形態では、ＴＳパケット解析部３３１はＴＳパケットがIDRピクチャを含んでいるか否かを判定したが、IDRピクチャ、またはNon-IDR のIピクチャのいずれかを含んでいるか否かを判定するとしても良い。ここで、Non-IDR のIピクチャとは、それ以後のピクチャがそのピクチャより前のピクチャの情報を参照する可能性のあるピクチャである。Iピクチャには、IDRピクチャと、Non-IDRの Iピクチャとの2種類がある。
【００６５】
上記の実施形態では、ＩＤＲピクチャを含むＰＥＳパケットのサイズをＴＳパケットの個数で表現したが、ＴＳパケットの個数ではなく、単にバイト数等のサイズで表現しても良い。
上記の実施形態では、記録再生装置３００を用いたが、本発明は上記フローチャートで示したステップを含む方法、コンピュータ読み取り可能な記録媒体、及びシステムＬＳＩ等の集積回路であっても良い。システムＬＳＩは、集積度の違いにより、ＩＣ、ＬＳＩ、スーパーＬＳＩ、ウルトラＬＳＩと呼称されることもある。
【００６６】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
更には、半導体技術の進歩又は派生する技術によりＬＳＩに置き換わる集積回路化の技術が登場すれば、当然、その技術を用いて機能ブロックの集積回路化を行っても良い。例えば、バイオ技術の適応などが可能性としてありうる。
【産業上の利用可能性】
【００６７】
本発明を構成する記録再生装置３００は、製造産業において経営的に、また継続的及び反復的に製造し、販売することができる。特に、ワンセグに対応した携帯機器として有用である。
【符号の説明】
【００６８】
１００    放送システム
２００    送信アンテナ
３００    記録再生装置
３１０    UI部
３２０    システム制御部
３３０    メタ情報生成部
３３１    ＴＳパケット解析部
３３１ａ  ＴＳパケット解析部
３３１ｂ  ＴＳパケット解析部
３３１ｃ  ＴＳパケット解析部
３３２    ＴＰＩ保持部
３３３    ＴＳパケット数カウント部
３３４    メタ情報格納部
３３５    メタ情報生成制御部
３４０    入力部
３５０    情報記録媒体制御部
３６０    デコード部
３７０    出力部
４００    情報記録媒体
【図１】
2011244476.tif 000003
【図２】
2011244476.tif 000004
【図３】
2011244476.tif 000005
【図４】
2011244476.tif 000006
【図５】
2011244476.tif 000007
【図６】
2011244476.tif 000008
【図７】
2011244476.tif 000009
【図８】
2011244476.tif 000010
【図９】
2011244476.tif 000011
【図１０】
2011244476.tif 000012
【図１１】
2011244476.tif 000013
【図１２】
2011244476.tif 000014
【図１３】
2011244476.tif 000015
【図１４】
2011244476.tif 000016
【図１５】
2011244476.tif 000017
【図１６】
2011244476.tif 000018
【図１７】
2011244476.tif 000019